(57)【特許請求の範囲】
【請求項１】
ＣＡＴＶ局から映像、音声、番組情報等のデータをデジタル信号に変換して、ブロック誤り訂正符号を挿入し、さらに時間多重を施した上で、デジタル変調を用いてケーブル網に伝送を行うデジタルＣＡＴＶ緊急放送受信装置において、緊急放送発信時に、放送周波数（ＲＦdefault）から緊急放送が発生していることを検出する緊急放送検出手段と、緊急放送の開始／終了および該当地域等を記した緊急情報データを記載したビットストリームを放送周波数（ＲＦemergency）から検出する手段と、前記放送周波数ＲＦdefaultおよびＲＦemergencyを不揮発メモリに記憶する手段とを有し、さらに、前記ＣＡＴＶ緊急放送受信装置が待機状態に遷移する前に、チューナを前記ＲＦdefaultに同調させる手段と、前記緊急放送検出手段により緊急放送が検出された時に、前記ＣＡＴＶ緊急放送受信装置の主電源を投入し、前記チューナを前記ＲＦemergencyに同調させる手段と、該ＲＦemergencyに同調させる手段で同調成立後に、前記ＲＦemergencyと伝送されている前記緊急情報データを抽出し、該緊急情報データが緊急放送中であることを示していれば、視聴者に緊急告知をする手段と、前記緊急情報データが緊急放送終了を示した時、緊急告知を終了して、前記チューナを前記ＲＦdefaultに同調させた後、再び待機状態に戻す手段とを具備することを特徴とするＣＡＴＶ緊急放送受信装置。
【請求項２】
前記緊急放送検出手段は、前記チューナが前記ＲＦdefaultに同調している状態において、前記ブロック誤り訂正符号のブロック先頭を示す同期信号と前記入力ビットストリームの同期捕捉を行う捕捉手段と、該捕捉手段で確立された同期が保持されているか否かを監視する同期追従手段と、該同期追従手段で同期が維持されていない時に、前記捕捉手段に再度同期を捕捉し直すように指示する再捕捉手段とから構成され、該再捕捉手段により同期の再捕捉を所定回数試みても、同期捕捉が得られない時に、緊急放送が発生していると判断することを特徴とする請求項１記載のＣＡＴＶ緊急放送受信装置。
【請求項３】
前記放送周波数ＲＦdefaultを視聴中に、前記緊急放送検出手段により緊急放送が検出された場合に、前記チューナを前記ＲＦemergencyに同調させ、前記ビットストリーム中に伝送されている緊急情報データを参照し、緊急告知の対象と判断された時に、視聴者に緊急告知する手段と、前記緊急情報データが緊急放送終了を示した時、前記緊急告知を終了させ、前記チューナを再び前記ＲＦdefaultに同調させて、元の視聴チャンネルに戻す手段とを具備することを特徴とする請求項１または２記載のＣＡＴＶ緊急放送受信装置。
【請求項４】
前記緊急告知手段は、前記ＣＡＴＶ緊急放送受信装置に内蔵された警報ブザー、およびオンスクリーンディスプレイにより、緊急事態を視聴画面に表示することを特徴とする請求項１乃至３のいずれか一項に記載のＣＡＴＶ緊急放送受信装置。
【発明の詳細な説明】
【０００１】
【発明の属する技術分野】
本発明は、デジタルＣＡＴＶ受信端末における緊急放送受信装置に関する。
【０００２】
【従来の技術】
図１０は、従来のデジタルＣＡＴＶ用放送受信装置の一実施例の構成を示すブロック図である。
１は、例えば、９０〜７７０ＭＨｚの高周波帯から６ＭＨｚのバンド幅を持つ１チャンネルに周波数を同調させるチューナであり、将来的には、全高周波帯が現行アナログ放送からデジタル放送、あるいはデジタル通信に移行するようになることから、ここでは、デジタル放送受信用チューナ（以下、単に「チューナ」と称する）を想定している。
２は、デジタル変調に対応したデジタル復調器であり、ＣＡＴＶの場合、一般的に、６４ＱＡＭが採用されている。
３′は、後段のブロック符号による誤り訂正回路４において、ブロック先頭を検出するための同期検出回路である。
【０００３】
図１１は、ＩＳＯ／ＩＥＣ１３８１８−１で規定されているＭＰＥＧ２トランスポートフレームの構成を示す図である。
このＭＰＥＧ２トランスポートパケット（以下、「ＴＳパケット」）の先頭に存在する同期バイトが、検出の対象として使用される。
４は、ＴＳパケットに、誤りが発生していた場合に、誤りの検出、およびその訂正を行う誤り訂正回路であり、図１１に示されるように、１個のＴＳパケット１８８バイト当たり１６バイトの誤り訂正符号が追加される。
以降、誤り訂正符号が付加されたＴＳパケットをフレームと呼ぶことにする。
【０００４】
一般的に、この誤り訂正方式としては、ヨーロッパのＥＴＳ（European Telecommunication Standard）規格ＥＴＳ−３００−４２９が採用されており、誤り訂正符号としてリードソロモン符号が使われている。リードソロモン符号は、ブロック符号に属し、ＥＴＳ−３００−４２９では、１ＴＳパケットを１ブロックとして扱うため、各ＴＳパケットの先頭に、ブロック先頭を示す１バイトの同期バイト（以下、「同期コード」と称し、通常は４７へキサの値で８ＴＳパケット毎に反転）が付加され、後段のデマルチプレクサ５と整合を取るため、本誤り訂正で、この同期コード反転は元に戻される。
【０００５】
５は、チューナ１で選択されたチャンネル内に多重化伝送されている複数のサブチャンネルや、ＮＩＴ，ＰＡＴ，ＰＭＴ等のＰＳＩ（Program Specific Information）、あるいは、ＣＡＴＶ事業者が独自に定義し、番組内容やサービス情報を記載したＳＩ（Service Information）を分離するデマルチプレクサであり、コントローラ１０の選局処理により、ユーザ所望の番組に該当した映像ＰＥＳパケット、および音声ＰＥＳパケットを出力する。
また、デマルチプレクサ５は、放送局側と同一の時刻を共有するため、伝送されている参照基準時刻ＰＣＲ（Program Clock Reference）と、フェーズロックドループ回路から、２７ＭＨｚのＳＴＣ（System Time Clock）を再生し、放送局側と同期を取っている。
【０００６】
６は、ＩＳＯ／ＩＥＣ１３８１８−２で規定されているＭＰＥＧ２ビデオのＰＥＳパケットを復号するビデオデコーダであり、これに内蔵されているＯＳＤ（0n Screen Display）機能により、ＥＰＧ（電子番組ガイド）を放送画面と合成してテレビへ出力することが出来る。
７は、ＩＳＯ／ＩＥＣ１３８１８−３で規定されているＭＰＥＧ２オーディオのＰＥＳパケットを復号するオーディオデコーダである。
８、９は、それぞれ、ビデオおよびオーディオ信号のＤ／Ａ変換器で、例えば、コンポジットビデオ信号とステレオ信号を出力してＴＶに表示する。
１０は、コントローラであり、リモコンからの制御処理や、ＰＳＩ／ＳＩの処理に使われ、一般的に動作周波数としては、数十ＭＨｚ〜数百ＭＨｚのものが使用される。
１１は、警報ブザーであり、緊急放送受信時に視聴者に緊急告知するために用いられる。
１２′は、不揮発メモリであり、受信端末の設置地域を特定する地域コードが予め記憶されている。
１３′は、電源制御部であり、コントローラ１０から駆動要求を受けて、待機状態と、主電源が投入された状態（以下、「主電源オン状態」）の切り替えを行う。
【０００７】
まず、通常放送受信時についての動作を説明する。
視聴者からリモコン等によって指示される視聴要求番組に関するＰＳＩ／ＳＩは、デマルチプレクサ５において伝送ビットストリームから抽出される。
このＰＳＩ／ＳＩは、コントローラ１０により、視聴要求番組を構成するオーディオ／ビデオのパケットＩＤ（ＰＩＤ）と、伝送されている伝送バンドが解析される。
この伝送バンドにチューナ１を同調させた上で、それぞれのＰＩＤをデマルチプレクサ５にセットすることにより、オーディオデコーダ７と、ビデオデコーダ６の各々に視聴要求番組に対応したＰＥＳパケットが伝送される。
このようにオーディオデコーダ７と、ビデオデコーダ６で復号されたべースバンド信号は、Ｄ／Ａ変換器８、９で、アナログ信号に変換されてから、テレビモニタへ出力され、通常放送が視聴できる。
【０００８】
次に、緊急放送待機時、および受信時についての動作を説明する。
日本ＣＡＴＶ技術協会ＪＣＴＥＡ ＳＴＤ−００３−１.１によると、緊急放送時には、ＰＳＩ内のＮＩＴ、またはＰＭＴに、緊急情報記述子をＣＡＴＶ局が伝送することになっている。
【０００９】
図１２は、ＪＣＴＥＡ ＳＴＤ−００３−１.１で規定されている緊急情報記述子（emergency information descdptor）を示す図である。
従って、ＣＡＴＶ受信端末では、この記述子が送られて来ているか否かを常時監視するために、チューナ１、デジタル復調器２、同期検出回路３′、誤り訂正回路４、デマルチプレクサ５、およびコントローラ１０を、ＣＡＴＶ受信端末が待機状態でも通電しておく必要がある。
【００１０】
図１３は、緊急放送受信時におけるＣＡＴＶ受信端末の動作を示すフローチャート図である。
この図を用いて、緊急放送受信時におけるＣＡＴＶ受信端末の動作を説明する。
まず、デマルチプレクサ５で、ＮＩＴ、またはＰＭＴが、入力ビットストリーム中から取得されたかを判別し（ステップＳ１３０１）、取得していた時は、コントローラ１０で、これらのテーブルの解釈をして緊急情報記述子が含まれているか否かを確認する（ステップＳ１３０２）。
もし、記述子が含まれていなければ、ＳＩテーブルの更新等の処理を行い（ステップＳ１３０３）、再び、ポーリング状態に戻る（ステップＳ１３０１）。
一方、記述子が含まれていれば、記述子内の緊急放送開始／終了フラグ（start end flag）が、放送中（＝１）か否かを識別する（ステップＳ１３０４）。
【００１１】
もし、放送中であれば、area codeフィールドに記載された地域と、あらかじめ不揮発メモリ１２′に記憶されている居住地域を、照合し（ステップＳ１３０５）、もし、当ＣＡＴＶ受信端末が、緊急放送の対象になっており、なお且つ、主電源がオン状態であるならば、緊急事態の旨を、ＯＳＤ、または警報ブザー１１を使用してユーザに告知する（ステップＳ１３０６）。
逆に、緊急放送の対象になっていても、主電源がオフ状態であるならば、電源制御部１３′により主電源を駆動して、同様に告知する。
主電源がオフ状態から駆動された緊急警報は、緊急放送開始／終了フラグ（start end flag）が、終了状態（＝０）になると、自動的に、主電源をオフする（ステップＳ１３０７）。
【００１２】
【発明が解決しようとする課題】
近年、国際的に地球温暖化防止の動きが高まり、同時に電気製品の省エネルギー化が求められている。
しかしながら、前述の従来の緊急放送方式では、緊急放送自体の発生頻度が稀にも関わらず、ＣＡＴＶ受信端末では、ビットストリーム中に、緊急放送情報の送出を監視するために待機状態でも、チューナやデジタル復調以外に、高速クロックで動作するデマルチプレクサと、コントローラも、常時通電しておく必要があり、上記温暖化防止の風潮に反するという問題があった。
本発明は、こうした問題を解決するためになされたもので、ＣＡＴＶ受信端末における緊急放送情報を監視するための待機状態の省電力化を図ることを目的としている。
【００１３】
【課題を解決するための手段】
本発明は、ＣＡＴＶ局から映像、音声、番組情報等のデータをデジタル信号に変換して、ブロック誤り訂正符号を挿入し、さらに時間多重を施した上で、デジタル変調を用いてケーブル網に伝送を行うデジタルＣＡＴＶ緊急放送受信装置において、緊急放送発信時に、放送周波数（ＲＦdefault）から緊急放送が発生していることを検出する緊急放送検出手段と、緊急放送の開始／終了および該当地域等を記した緊急情報データを記載したビットストリームを放送周波数（ＲＦemergency）から検出する手段と、前記放送周波数ＲＦdefaultおよびＲＦemergencyを不揮発メモリに記憶する手段とを有し、さらに、前記ＣＡＴＶ緊急放送受信装置が待機状態に遷移する前に、チューナを前記ＲＦdefaultに同調させる手段と、前記緊急放送検出手段により緊急放送が検出された時に、前記ＣＡＴＶ緊急放送受信装置の主電源を投入し、前記チューナを前記ＲＦemergencyに同調させる手段と、該ＲＦemergencyに同調させる手段で同調成立後に、前記ＲＦemergencyと伝送されている前記緊急情報データを抽出し、該緊急情報データが緊急放送中であることを示していれば、視聴者に緊急告知をする手段と、前記緊急情報データが緊急放送終了を示した時、緊急告知を終了して、前記チューナを前記ＲＦdefaultに同調させた後、再び待機状態に戻す手段とを具備することを特徴とするＣＡＴＶ緊急放送受信装置である。
【００１４】
さらに、本発明は、前記ＣＡＴＶ緊急放送受信装置の緊急放送検出手段は、前記チューナが前記ＲＦdefaultに同調している状態において、前記ブロック誤り訂正符号のブロック先頭を示す同期信号と前記入力ビットストリームの同期捕捉を行う捕捉手段と、該捕捉手段で確立された同期が保持されているか否かを監視する同期追従手段と、該同期追従手段で同期が維持されていない時に、前記捕捉手段に再度同期を捕捉し直すように指示する再捕捉手段とから構成され、該再捕捉手段により同期の再捕捉を所定回数試みても、同期捕捉が得られない時に、緊急放送が発生していると判断するようにしたものである。
【００１５】
さらに、本発明は、前記ＣＡＴＶ緊急放送受信装置において、前記放送周波数ＲＦdefaultを視聴中に、前記緊急放送検出手段により、緊急放送が検出された場合に、前記チューナを前記ＲＦemergencyに同調させ、前記ビットストリーム中に伝送されている緊急情報データを参照し、緊急告知の対象と判断された時に、視聴者に緊急告知する手段と、該緊急情報データが緊急放送終了を示した時、前記緊急告知を終了させ、前記チューナを、再びＲＦdefaultに同調させて、元の視聴チャンネルに戻す手段とを具備したことを特徴とするものである。
【００１６】
さらに、本発明は、前記ＣＡＴＶ緊急放送受信装置において、前記緊急告知手段は、前記ＣＡＴＶ緊急放送受信装置に内蔵された警報ブザー、およびオンスクリーンディスプレイにより、緊急事態を視聴画面に表示することを特徴とするものである。
【００１７】
【発明の実施の形態】
本発明によるＣＡＴＶにおける緊急放送受信装置の実施形態を、図面に基づいて、以下に説明する。
図１は、本発明に係るＣＡＴＶ緊急放送受信装置の一実施例の構成を示すブロック図である。
ここで、緊急放送時に、緊急放送情報（emergency information descriptor）が伝送されているチャンネル（ＲＦemergency）と、緊急警報放送（以下、緊急放送）が発生していることを示すチャンネル（ＲＦdefault）が、ＣＡＴＶ網に用意され、チャンネル（ＲＦemergency）において緊急放送情報が伝送されていることを示す信号を、緊急放送時にチャンネル（ＲＦdefault）を用いて伝送している。
ＣＡＴＶ受信端末側では、緊急放送発信時に、放送周波数（ＲＦdefault）から緊急放送が発生していることを検出する緊急放送検出手段と、緊急放送の開始／終了および該当地域等を記した緊急情報データを記載したビットストリームを放送周波数（ＲＦemergency）から検出する手段とを有し、これらの情報は、予め、不揮発メモリ１２に記憶されている。
なお、図において、チューナ１、デジタル復調器２、誤り訂正回路４、デマルチプレクサ５、ビデオデコーダ６、オーディオデコーダ７、Ｄ／Ａ変換器８および９、コントローラ１０、警報ブザー１１は、それぞれ、先に従来例として説明した図１０に示したものと同一で、同じ符号を付してある。
【００１８】
緊急放送検出部３は、同期コードと、入力ビットストリーム間の同期が維持できているか否かを監視し、チューナ１の同調周波数が、ＲＦdefaultであり、且つ同期が維持できない時に、緊急放送が発信されていると判定する。
不揮発メモリ１２は、図１０における不揮発メモリ１２′に記憶される地域コードに加えて、ＲＦdefaultと、ＲＦemergencyが記憶される。
不揮発メモリ１２への記憶は、端末設置時に書き込む方法等が考えられる。
電源制御部１３は、待機状態において、緊急放送検出部３が緊急放送を検出していると判断した時に、待機状態から主電源オン状態に移行させる。
すなわち、チューナ１、デジタル復調器２、緊急放送検出部３は、待機状態でも、通電されており、コントローラ１０や、デマルチプレクサ５を含めて、その他の構成部は、主電源がオン状態になった上で通電される。
【００１９】
図２は、図１中の緊急放送検出部３の内部構成を示すブロック図である。
緊急放送検出部３は、詳細には、図に示すように、同期コードを検出して、同期コードが出現する周期（以下、同期パルス）を生成し、同期パルスと入力フレームの間で同期が確立できているか否かを確認する同期捕捉部３１と、この同期パルスと入力フレーム間の同期が維持できているか否かを監視する同期追従部３２と、同期追従が維持できなくなった時に、再度、同期捕捉を試みる再捕捉指示と、再捕捉状態が実現できなかった場合に、電源制御部１３に主電源投入要求信号を送出する出力制御部３３から構成されている。
【００２０】
図３は、図２中の同期捕捉部部３１の内部構成を示すブロック図である。
３１１は、入力フレームと同期コードの比較を行って同期パルスを発生させる比較回路を内蔵し、且つ比較器３１３から再捕捉要求指示を受けた時に入力フレームの位置をフレームに同期したクロック（以降、フレームクロック）でシフトする移相回路を内蔵した比較器を、３１２は、比較器３１１から出力された同期パルスをフレームクロックを基準として、次のフレームの同期コードが来るまでカウントする同期パルス幅カウンタを、３１３は、同期パルス幅カウンタ３１２でカウントが終了した直後にフレームの値を読んで、同期コードと一致しているかを確認する比較器を、３１４は、比較器３１１で生成した同期パルスが、入力フレームと同期捕捉していることを最終判断するため、比較器３１３の一致回数が所定回数まで達するかを調べる同期捕捉判定カウンタを、それぞれ表している。
【００２１】
図４は、同期捕捉部３１の動作手順を示すフローチャート図である。
ここで、同期捕捉部３１の動作を、図３、図４により説明する。
まず、比較器３１１で、フレームをフレームクロックでシフトさせながら、入力フレームと同期コードを比較する（ステップＳ４０１）。
もし、所定回数の再施行操作でも、一致が見られなければ、同期不可能と判定する（ステップＳ４０８）。
他方、一致が得られれば、同期パルス幅カウンタ３１２をスタートさせ（ステップＳ４０２）、次フレームの先頭、即ち２０４バイト目で、フレームの値が同期コードの値と一致しているか否かを、比較器３１３で確認する（ステップＳ４０４）。
【００２２】
図５は、フレームと同期コード間に同期が確立している状態（Ａ）と、同期コードと同一の値がデータ内に混在しているため同期捕捉できない状態（Ｂ）を示す図である。
ここで、比較器３１３での比較が一致していれば（図５（Ａ））、同期捕捉判定カウンタ３１４をインクリメントし（ステップＳ４０５）、この時点で、生成している同期パルスを使用して、フレームと同期パルス間の同期捕捉が確立したと判断する回数（Ｋ回）まで、ステップＳ４０２〜ステップＳ４０６の処理を繰り返す。
ステップＳ４０４で、一致しない場合は、同期コードと同じ値が、フレーム内のデータ領域（同期コード以外の領域）に出現（図５（Ｂ））し、比較器３１１が、このデータを誤って、同期コードとして捕えてしまうために誤動作する時であり、比較器３１１で、フレームの位置をフレームクロックでシフトさせて（ステップＳ４０３）、ステップＳ４０１に戻り、再捕捉を試みる。
【００２３】
再捕捉は、フレーム周期分、すなわち２０４回繰り返せば、得られるはずである。
最終的に、同期捕捉判定カウンタ３１４で、捕捉回数をＫ回カウントした時、フレームの同期捕捉は確立されたと判断し、同期パルスをバッファ３１５から、後段の同期追従部３２（図２参照）に出力する（ステップＳ４０７）。
このように生成された同期パルスは、同期追従部３２で、入力フレームの伝送ジッターや、ノイズによる影響で同期外れが生じていないかを監視し、同期外れが生じた場合に、同期捕捉作業を再度行うよう、同期捕捉部３１（図２参照）に対して指示する。
【００２４】
図６は、図２中の同期追従部３２の詳細な構成を示すブロック図である。
ここで、図６において、３２１は、同期捕捉部３１で生成した同期パルスで、フレームを一時記憶させるラッチ回路を、３２２は、ラッチされたフレームの値が同期コードと一致するかを比較する比較器を、３２３は、比較器３２２での不一致数をカウントする同期外れカウンタを表わす。
【００２５】
図７は、図２中の出力制御部３３の詳細な構成を示すブロック図である。
出力制御部３３は、再同期捕捉が失敗した時（図４のステップＳ４０８）に、チューナ１で同調している周波数と、ＲＦdefaultを、比較器３３１で比較し、両者が一致していた時に、電源制御部１３とコントローラ１０に、緊急放送検出信号を送信する。
もし、主電源がオフ状態であれば、電源制御部１３は主電源を投入する。
【００２６】
図７におけるＲＦdefaultレジスタ３３３は、例えば、主電源投入時に、不揮発メモリ１２に記憶されているＲＦdefaultが、本レジスタにも転送されることにより、不揮発メモリ１２に記憶されているＲＦdefaultと、同一周波数が記録される。
また、図７のカレントＲＦレジスタ３３２は、チューナ１で選局操作を行う度に、同調された周波数に書き換えられる記憶素子である。
【００２７】
以上、緊急放送検出部３の構成および動作について説明したが、実際には同期コードの検出を容易にするため、ＥＴＳ-３００-４２９のように、周期的に同期コードを反転させても良いし、また、送受信で再現可能な乱数を、同期コードを除いたＴＳパケット内のデータに乗算し、同期コードと同一な値を持つデータの発生頻度を抑えて、同期捕捉を容易にする手段も有効である。
【００２８】
図８は、本発明のＣＡＴＶ受信端末の待機状態時における動作手順を示すフローチャート図である。
このような構成における本発明のＣＡＴＶ受信端末の待機状態時における動作を、図８を用いて説明する。
ここで、待機状態時に通電される回路は、図１におけるチューナ１、デジタル復調器２、緊急放送検出回路３である。
まず、待機状態時には、チューナ１は、ＲＦdefaultに同調されており、緊急放送検出回路３で、緊急放送検出信号が検出される（ステップＳ８０１）と、すなわち、同期コードと入力ビットストリーム間の同期が得られなくなると、電源制御部１３が、主電源を起動する（ステップＳ８０２）。
【００２９】
次に、起動されたコントローラ１０は、不揮発メモリ１２から緊急情報記述子が伝送されているチャンネルＲＦemergencyを読み出して、チューナ１をＲＦdefaultからＲＦemergencyに遷移させる（ステップＳ８０３）。
ＲＦemergencyは、ＣＡＴＶ局が、ＪＣＴＥＡ ＳＴＤ−００３−１.１に準拠した緊急情報記述子（emergency information descriptor）を、ＰＭＴまたはＮＩＴに伝送しているチャンネルである。
ＣＡＴＶ受信端末では、この記述子を検出し（ステップＳ８０５）、記述子内のarea codeと、不揮発メモリ１２に記憶されている地域コードが合致していて（ステップＳ８０６）、なお且つ緊急放送開始／終了フラグ（start end flag）が開始状態（＝１）であれば（ステップＳ８０７）、該受信端末の設置されている地域が、緊急放送の対象に該当していると判断して、警報ブザー１１で緊急告知を行う（ステップＳ８０８）。
【００３０】
このように発せられた緊急告知は、緊急放送開始／終了フラグ（start end flag）が、終了状態（＝０）になると告知を終了し（ステップＳ８０９）、チューナ１を、元のＲＦdefaultに、同調させ（ステップＳ８１０）、主電源をオフの状態にし、再び待機状態に戻る（ステップＳ８１１）。
一方、ユーザが視聴中（主電源オン状態）に、緊急放送が伝送されている場合には、ＲＦdefaultを除いて、ＰＳＩ／ＳＩから緊急放送情報を抽出して、緊急告知をする。
【００３１】
図９は、ＲＦdefaultの視聴状態から緊急放送を検出および告知する動作手順を示すフローチャート図である。
ユーザがＲＦdefaultを視聴している際に、緊急放送が伝送された時の動作フローを図９を用いて説明する。
すなわち、ＲＦdefaultを視聴している間に、緊急放送検出部３で緊急放送を検出した時（ステップＳ９０１）に、ＲＦdefaultの視聴を中断して、チューナ１をＲＦemergencyに遷移させる（ステップＳ９０２）。
そこで、ＲＦemergencyに伝送されているビットストリームから、デマルチプレクサ５で、ＮＩＴまたはＰＭＴを取得し（ステップＳ９０３）、さらに、テーブル内に緊急情報記述子が含まれているか否かを判定する（ステップＳ９０４）。
【００３２】
もし、緊急情報記述子を取得し、記述子内のarea codeが、不揮発メモリ１２に記憶されている地域コードと一致し（ステップＳ９０５）、なお且つ、緊急放送発信中、すなわち、緊急放送開始／終了フラグ（start end flag）が（＝１）であれば（ステップＳ９０６）、視聴者に緊急告知を行う（ステップＳ９０７）。
このように起動された緊急告知は、緊急放送開始／終了フラグ（start end flag）が０になるまで継続され、緊急告知終了後（ステップＳ９０８）に、再びチューナ１をＲＦdefaultに遷移させ、元の視聴状態に戻す（ステップＳ９０９）。
【００３３】
ところで、デマルチプレクサ５で、ＮＩＴ、またはＰＭＴを取得できない場合や、取得しても、そのテーブル内に緊急情報記述子が含まれていなければ、ケーブル網内で受信障害が発生したと判断して、ビデオデコーダ６に内蔵されたＯＳＤを使用して、視聴画面上にその旨を告知する（ステップＳ９１０）。
【００３４】
【発明の効果】
以上に述べたように、本発明のＣＡＴＶ緊急放送受信装置は、同期コード検出の有無で主電源を投入する手段を有しているため、従来のように高速なクロックで動作するデマルチプレクサ、コントローラ、さらには誤り訂正回路を、常時、通電していなくても、緊急放送を受信できる。従って、ＣＡＴＶ受信端末の省電力化が実現できる。
【図面の簡単な説明】
【図１】本発明に係るＣＡＴＶ緊急放送受信装置の一実施例の構成を示すブロック図である。
【図２】図１における緊急放送検出部の内部構成を示すブロック図である。
【図３】図２における同期捕捉部部の内部構成を示すブロック図である。
【図４】図２における同期捕捉部の動作手順を示すフローチャート図である。
【図５】フレームと同期コード間に同期が確立している状態（Ａ）と、同期コードと同一の値がデータ内に混在しているため同期捕捉できない状態（Ｂ）を示す図である。
【図６】図２における同期追従部の詳細な構成を示すブロック図である。
【図７】図２における出力制御部の詳細な構成を示すブロック図である。
【図８】図１に示す実施例の待機状態から緊急放送を検出および告知する動作手順を示すフローチャート図である。
【図９】図１に示す実施例のＲＦdefaultの視聴状態から緊急放送を検出および告知する動作手順を示すフローチャート図である。
【図１０】従来のデジタルＣＡＴＶ用放送受信装置の一実施例の構成を示すブロック図である。
【図１１】ＩＳＯ／ＩＥＣ１３８１８−１で規定されているＭＰＥＧ２トランスポートフレームの構成を示す図である。
【図１２】ＪＣＴＥＡ ＳＴＤ−００３−１.１で規定されている緊急情報記述子（emergency information descdptor）を示す図である。
【図１３】図１０の示すＣＡＴＶ受信端末の緊急放送受信時における動作手順を示すフローチャート図である。
【符号の説明】
１…チューナ、２…デジタル復調器、３…緊急放送検出部、３′…同期検出回路、４…誤り訂正回路、５…デマルチプレクサ、６…ビデオデコーダ、７…オーディオデコーダ、８、９…Ｄ／Ａ変換器、１０…コントローラ、１１…警報ブザー、１２、１２′…不揮発メモリ、１３、１３′…電源制御部。
【図１】
0003703381.tif 000002
【図２】
0003703381.tif 000003
【図３】
0003703381.tif 000004
【図４】
0003703381.tif 000005
【図５】
0003703381.tif 000006
【図６】
0003703381.tif 000007
【図７】
0003703381.tif 000008
【図８】
0003703381.tif 000009
【図９】
0003703381.tif 000010
【図１０】
0003703381.tif 000011
【図１１】
0003703381.tif 000012
【図１２】
0003703381.tif 000013
【図１３】
0003703381.tif 000014